(57)【要約】  ＦＴＩＲ  ＡＴＲ法を用いて微生物を分類及び識別するための微生物を分類及び識別する方法を提供する。【選択図】図１
2021512321.tif 000002
【特許請求の範囲】
【請求項１】
全反射赤外分光計（ＡＴＲ−ＦＴＩＲ）を用いて生体サンプル内の微生物を識別する方法であって、
既知の微生物の種、亜種及び下位分類の既知のサンプルに関連するリファレンススペクトルのデータベースを準備する工程（Ａ１，Ａ２，Ａ３）と、
前記データベースから開始して、既知の微生物の種、亜種又は下位分類の各々についての最も重要な識別分光特性に基づき、計算済モデルを作成する一以上の工程（Ａ４）と、
固体培地又は液体培地で発育させられ場合によっては生体液を含む未知のサンプルをサンプリングする工程（Ｂ）と、
前記未知のサンプルのスペクトルを取得する一以上の工程（Ｃ）と、
前記未知のサンプルの前記スペクトルを処理する一以上の工程（Ｄ）と、
前記未知のサンプルの前記スペクトルを前記計算済モデルと比較することで解析する一以上の解析工程（Ｅ）と、
一以上の制御工程（Ｆ）と、を有し、
各前記解析工程（Ｅ）において、前記既知の微生物の種、亜種又は下位分類の一以上に前記未知のサンプルが所属するスコアである少なくとも複数の所属スコアと、前記所属スコアの信頼性パラメータと、を提供し、
前記一以上の制御工程（Ｆ）において、前記所属スコア及び前記信頼性パラメータから開始して、前記未知のサンプルのスペクトルを新たに取得する工程（Ｃ）を要求し、あるいは、前記方法の最終結果を提供し、
前記最終結果は、識別不成功（Ｊ）又は識別成功（Ｇ，Ｈ，Ｉ）を含むことを特徴とする方法。
【請求項２】
既知の微生物の種、亜種又は下位分類の既知のサンプルに関連するリファレンススペクトルのデータベースを準備する工程（Ａ１，Ａ２，Ａ３）は、各既知のサンプルについて、
生体液の存在下又は非存在下で固体培地又は液体培地で発育させられて得られた前記既知のサンプルをサンプリングする工程（Ａ１）と、
前記既知のサンプルのスペクトルを取得する一以上の工程（Ａ２）と、
前記既知のサンプルのスペクトルを処理する一以上の工程（Ａ３）と、を含むことを特徴とする請求項１に記載の方法。
【請求項３】
前記リファレンススペクトルは、異なる種、亜種若しくは下位分類の微生物のサンプル及び／又は同じ種、亜種若しくは下位分類の微生物の異なる株のサンプル及び／又は生体液と共に若しくは生体液なしで可変な培地で発育させたサンプルに関連するスペクトルを含むことを特徴とする請求項１又は２に記載の方法。
【請求項４】
前記未知のサンプルは固体培地上で発育させたものであることを特徴とする請求項１〜３の何れか一項に記載の方法。
【請求項５】
前記既知のサンプルの少なくとも１つは固体培地上で発育させたものであることを特徴とする請求項１〜４の何れか一項に記載の方法。
【請求項６】
前記未知のサンプルは、少なくとも１つの発育液体ブロス内で発育させられ、その後遠心分離又はろ過又は濃縮されてペレット又は濃縮サンプルとされ、
前記スペクトルは、前記ペレット又は濃縮サンプルから分析物を除去することで取得されたものであることを特徴とする請求項１〜５の何れか一項に記載の方法。
【請求項７】
前記既知のサンプルの少なくとも１つは、少なくとも１つの発育液体ブロス内で発育させられ、その後遠心分離又はろ過又は濃縮されてペレット又は濃縮サンプルとされ、
前記スペクトルは、前記ペレット又は濃縮サンプルから分析物を除去することで取得されたものであることを特徴とする請求項１〜６の何れか一項に記載の方法。
【請求項８】
前記処理する工程（Ｄ，Ａ３）は、予め定められたスペクトル範囲における前記サンプルの最も重要な識別分光特性を自動的に特定するアルゴリズムを用いることを含むことを特徴とする請求項１〜７の何れか一項に記載の方法。
【請求項９】
前記解析工程（Ｅ）は、多変量解析などの統計的手法を用いることを含むことを特徴とする請求項１〜８の何れか一項に記載の方法。
【請求項１０】
前記解析工程（Ｅ）は、主成分分析（ＰＣＡ）に基づく方法を用いることを含むことを特徴とする請求項１〜９の何れか一項に記載の方法。
【請求項１１】
前記解析工程（Ｅ）はニューラルネットワークに基づく方法を用いることを含むことを特徴とする請求項１〜１０の何れか一項に記載の方法。
【請求項１２】
前記解析工程（Ｅ）は、スペクトルのクラスターの解析に基づく方法を用いることを含むことを特徴とする請求項１〜１１の何れか一項に記載の方法。
【請求項１３】
前記計算済モデルは、未知のサンプルと既知のサンプルの両方について、各サンプルについての前記識別分光特性のリストを備えることを特徴とする請求項１〜１２の何れか一項に記載の方法。
【請求項１４】
前記取得する工程（Ｃ，Ａ２）は、前記サンプルの乾燥レベルが所定の基準乾燥レベルに達した時にのみ前記スペクトルが取得されるように前記乾燥レベルを分光的にモニターすることを含むことを特徴とする請求項１〜１３の何れか一項に記載の方法。
【請求項１５】
請求項１〜１４の何れか一項に記載の、生体サンプル内の微生物を識別する方法を実行する装置であって、
コンピュータ（１５）に組み込まれた処理システム及びデータ表示システムと連結した全反射（ＡＴＲ）取得モードのフーリエ変換型赤外分光法（ＦＴＩＲ）用の分光光度計と、
赤外線（１７）の線源（１３）と、
反射素子（１６）と、
結晶（１２）などの内部反射素子と、
検出器（１４）と、
解析される前記生体サンプルが配置される、前記結晶（１２）の表面上において画定された取得ゾーン（１８）と、を備え、
前記コンピュータ（１５）には、既知の微生物の種、亜種及び下位分類の既知のサンプルに関連する計算済モデルが記憶されている、ことを特徴とする装置。
【発明の詳細な説明】
【技術分野】
【０００１】
本開示は、従来方法と比べて非常に短い時間で微生物の発育に関する指標を取得するために、例えばスペクトルプロファイル又はニューラルネットワークの多変量解析法などの統計的手法を用いて微生物を識別する方法に関する。
【０００２】
特に、本発明は、未知のサンプルのスペクトルプロファイルを解析すること（ＡＴＲ−ＦＴＩＲ）と、このスペクトルプロファイルを以前収集されデータベース内に記憶されたサンプルのスペクトルプロファイルと比較することと、を介して微生物を識別するための解析機器の発展に基づくものである。
【背景技術】
【０００３】
フーリエ変換型赤外分光法（ＦＴＩＲ）は非破壊的な解析手法であり、これを用いて解析対象サンプルの化学成分の情報を取得することができる。この手法は１９９０年代に入ってから生体サンプルの解析に用いられてきた（Ｄｉｅｍ  Ｍ．ｅｔ  ａｌ．，Ｔｈｅ  Ａｎａｌｙｓｔ［２７  Ａｕｇ．  ２００４，１２９（１０）：８８０−８８５］）
【０００４】
同時に、未知の微生物を識別及び分類するＦＴＩＲの能力が示された（Ｈｅｌｍ  Ｄ．ｅｔ  ａｌ．，Ｊｏｕｒｎａｌ  ｏｆ  Ｇｅｎｅｒａｌ  Ｍｉｃｒｏｂｉｏｌｏｇｙ（１９９１，１３７，６９−７９）及びＭａｒｌｅｙ  Ｌ．ｅｔ  ａｌ．，Ｖｉｂｒａｔｉｏｎａｌ  Ｓｐｅｃｔｒｏｓｃｏｐｙ  ２６，２，２００１，１５１−１５９）。
【０００５】
異なる種、亜種又は下位分類の微生物は、タンパク質、脂質、核酸及び多糖に関する詳細な生化学成分によって特徴づけられ、これらは離散的な振動スペクトルに反映される（ｅｄ．Ｇｒｉｆｆｉｔｈｓ及びＣｈａｌｍｅｒｓ，２００１  Ｈａｎｄｂｏｏｋ  ｏｆ  ｖｉｂｒａｔｉｏｎａｌ  ｓｐｅｃｔｒｏｓｃｏｐｙ，Ｊｏｈｎ  Ｗｉｌｅｙ＆  ｓｏｎｓ，Ｎｅｗ  Ｙｏｒｋ，ｖｏｌｕｍｅ  ５）。
【０００６】
ＦＴＩＲ手法により示唆された微生物学におけるいくつかの考え得るアプリケーションには以下のものが挙げられる。即ち、
（ｉ）例えば臨床検査施設などの人又は獣医フィールドにおける病原体の特定
（ｉｉ）疫学調査、研究トピック、病原体のスクリーニング、衛生チェック、感染の鎖の解明、コントロール療法及び回帰的感染症の検出
（ｉｉｉ）周囲環境の微生物の特徴づけ及びスクリーニング
（ｉｖ）生物工学的プロセスのモニタリング
（ｖ）食品又は医薬品産業における微生物学的品質コントロール
（ｖｉ）採取後の株の管理
【０００７】
微生物を識別する方法について、未知のサンプルのスペクトルとデータベースに格納された既知の微生物の種のスペクトルとの間で比較解析する手法に基づくものが知られている。
【０００８】
このタイプの公知の識別方法の例は、ＵＳ５６６０９９８Ａ、ＣＮ１０３２１７３９８Ａ、ＵＳ６３７９９２９０Ｂ１、ＷＯ２００６００２５３７Ａ１、ＵＳ９５５１６５４Ｂ２、ＵＳ２０１７０１６７９７３Ａ１、ＷＯ２０１７／２１０７８３Ａ１、Ｓｏｕｓａ  ｅｔ  ａｌ．，Ｅｕｒｏｐｅａｎ  Ｊｏｕｒｎａｌ  ｏｆ  Ｃｌｉｎｉｃａｌ  Ｍｉｃｒｏｂｉｏｌｏｇｙ＆Ｉｎｆｅｃｔｉｏｕｓ  Ｄｉｓｅａｓｅｓ（２０１４）３３：１３４５−１３５３、Ｗｈｉｔｔａｋｅｒ  ｅｔ  ａｌ．，Ｊｏｕｒｎａｌ  ｏｆ  Ｍｉｃｒｏｂｉｏｌｏｇｉｃａｌ  Ｍｅｔｈｏｄｓ  ５５（２００３）７０９−７１６、Ｗａｎｇ  ｅｔ  ａｌ．，Ｉｎｔｅｒｎａｔｉｏｎａｌ  Ｊｏｕｒｎａｌ  ｏｆ  Ｆｏｏｄ  Ｍｉｃｒｏｂｉｏｌｏｇｙ  １６７（２０１３）２９３−３０２において報告されている。
【０００９】
しかしながら、多くの公知の方法では、透過、反射又はイメージングモードでスペクトル取得が行われる。
【００１０】
例えば、透過又は反射取得モードについてはＵＳ５６６０９９８及びＵＳ６３７９９２０において報告されており、一方、イメージングモードはＷＯ２００６００２５３７Ａ１、ＵＳ９５５１６５４Ｂ２、ＵＳ２０１７０１６７９７３Ａ１で用いられている。
【００１１】
これらの方法については、直接得られた信号はサンプルの厚さ及び形態に依存し、つまり厚すぎると飽和が生じたりあるいは不均一だと散乱によるゆがみが生じたりするという事実に関するデメリットがある。
【００１２】
また、例えばマルチピクセルなどのイメージングアプローチに基づく方法においては、シングルポイント検出器と比べると各ピクセルで得ることができる信号対ノイズ比が低いために個別のスペクトルについて解像度が制限される場合がある。
【００１３】
先行技術における別のデメリットとして、スペクトルにおいて水又は他の混入物質の存在に起因する信号が含まれる可能性があり、これが微生物の特異的信号を隠してしまうことが挙げられる。
【００１４】
例えばＣＮ１０３２１７３９８Ａなどの一部のケースでは乾燥処理が行われるが、ＷＯ２０１７／２１０７８３Ａ１において報告されているようにこの処理は微生物に重大かつ不可逆的な影響を及ぼし、さらには微生物のスペクトルを変えてしまう可能性もある。
【００１５】
例えばＷＯ２０１７／２１０７８３Ａ１などの一部のケースでは、スペクトルに存在する水成分を除去するための複数取得を使用可能である。しかしながら、この解決法は、解析時間が増大するとともにスペクトル比較のための解析手順の複雑さが増すことに関するデメリットがある。
【００１６】
先行技術における別のデメリットとして、多くの場合参照用データベースには限られた数の微生物種しか含まれておらず、したがって幅広い範囲の考え得る種をカバーしていないことが挙げられる。
【００１７】
例えば、ＣＮ１０３２１７３９８Ａの中で報告されているデータベース及び関連する識別方法では１３個の細菌種を参照している。
【００１８】
さらに、参照用データベースのサイズが大きくなると、スペクトル取得手順及び比較解析手順において、微生物の種を培養及び発育させる手順に関する一連の問題が生じることとなる。
【００１９】
例えば、データベースのサイズが大きくなるにつれ、未知のサンプルのスペクトルをデータベースに含まれる多数のスペクトルと比較しなければならないために、未知のサンプルの解析時間も増大する。
【００２０】
さらに、同じ種の微生物でも分光特性に大きなばらつきがあることから、これらをデータベースに含まれるスペクトルと比較することが困難となる。
【００２１】
このばらつきは、各々の種についての異なる株(strains)の存在、あるいは、培地の化学成分及び／又は発育条件のばらつきによる同じ種についての異なる培養間での差異に起因する可能性がある。
【００２２】
したがって、微生物の多数の種、亜種又は下位分類について、多様性に富んだ参照用データベースとともに用いることができる、微生物を識別するための新規の方法を提供する必要がある。
【００２３】
したがって、本発明の目的の１つは、多数の異なる種、亜種又は下位分類の微生物を識別するのに十分な汎用性を備えるとともに判別能力及び精度が高い微生物を識別する方法を提供することである。
【００２４】
本発明の別の目的は、同じ種、亜種又は下位分類の微生物の異なる株を、たとえこれらが異なる培地で異なる培養で発育させた場合又は生体液の存在下若しくは非存在下における異なる環境条件で発育させた場合であっても識別可能な微生物を識別する方法を提供することである。
【００２５】
本発明の別の目的は、データベースが大きい場合でも正確でかつ個々の解析に要する時間が短い微生物を識別する方法を提供することである。
【００２６】
本発明の別の目的は、解析の異なる工程及び機器の部品を全て含み、微生物を識別する方法を簡単に実行可能な装置を提供することである。
【００２７】
本出願人は、先行技術の欠点を克服するとともにこれらの及び他の目的及び利点を得るために、本発明を考案し、試験し、そして具現化した。
【発明の概要】
【００２８】
本発明は特許請求の範囲の独立請求項に記載され特徴づけられており、また特許請求の範囲の従属請求項には本発明の他の特徴及び主な発明思想のバリエーションが記載されている。
【００２９】
本発明は、微生物を識別する方法に関し、具体的には、未知のサンプルの赤外スペクトルと前もってデータベースに保存された既知のサンプルの赤外スペクトルとを比較することで、未知のサンプル内に存在する多数の種、亜種及び下位分類の微生物を識別することを可能とする方法に関する。
【００３０】
本発明による微生物を識別する方法は、
既知の微生物の種、亜種及び下位分類の既知のサンプルに関連するリファレンススペクトルのデータベースを準備する工程と、
前記データベースから開始して、既知の微生物の種、亜種又は下位分類の各々についての、例えば吸収の形状、サイズ、強度及びピーク面積の情報又は前記強度間若しくは異なる前記ピーク面積間の相関関係及び比率に関連する最も重要な識別分光特性に基づき、計算済モデル又はリファレンスライブラリを作成する工程と、
患者から採取され場合によってはその後に固体培地又は液体培地で発育させられ場合によっては生体液も含む未知のサンプルをサンプリングする一以上の工程と、
前記未知のサンプルのスペクトルを取得する一以上の工程と、
前記未知のサンプルの前記スペクトルを処理する一以上の工程と、
前記未知のサンプルの前記スペクトルを前記計算済モデルと比較することで解析する一以上の解析工程と、
一以上の制御工程と、を有し、
各前記解析工程において、前記既知の微生物の種、亜種又は下位分類の一以上に前記未知のサンプルが所属するスコアである少なくとも複数の所属スコア（場合によってはパーセンテージで表される）と、前記所属スコアの信頼性パラメータと、を提供し、
前記一以上の制御工程において、前記所属スコア及び前記信頼性パラメータから開始して、前記未知のサンプルのスペクトルを新たに取得する工程を要求し、あるいは、最終結果を提供し、
前記最終結果は、識別不成功又は識別成功を含む。
【００３１】
一部の実施形態では、既知の微生物の種、亜種又は下位分類の既知のサンプルに関連するリファレンススペクトルのデータベースを準備する工程は、各既知のサンプルについて、
場合によっては患者から採取され、その後場合によっては生体液の存在下又は非存在下で固体培地又は液体培地で発育させられて得られた既知のサンプルをサンプリングする工程と、
前記既知のサンプルのスペクトルを取得する一以上の工程と、
前記既知のサンプルのスペクトルを処理する一以上の工程と、を含む。
【００３２】
一部の実施形態では、前記データベースを準備する工程は前記データベースを作成するために１度のみ実行することができ、前記データベースを、後続の未知のサンプルの解析の各々に用いてもよい。
【００３３】
一部の実施形態では、前記データベースを準備する工程は、微生物の新たな種、亜種又は下位分類を含むことが望まれた時に実行される前記データベースの更新を含んでもよく、したがって上記方法の用途範囲が拡張される。
【００３４】
同様に、前記計算済モデルは、作成された後に、後続の未知のサンプルの解析の全てに用いることができ、あるいは、微生物の新たな種、亜種又は下位分類の追加が望まれたならばその度に更新することもできる。
【００３５】
本発明によれば、前記スペクトルは、ＦＴＩＲ−ＡＴＲ分光光度計を備える装置を用いて取得される。
【００３６】
この取得モードには、サンプルの厚さ及び形態に依らずにスペクトルを得ることができ、これにより透過又は反射に基づく手法と比べて高再現性を有することが保証されるという利点がある。
【００３７】
さらに、非常に小さいサンプルに対して動作することができるとともに、非常にシンプルかつ高速動作処理で動作することができる。
【００３８】
本発明の一部の実施形態では、ＦＴＩＲ−ＡＴＲ分光光度計は、例えばマルチピクセル及び／又はイメージングベースの方法よりも信号対ノイズ比が高くなることを保証するシングルポイント検出器を備える。
【００３９】
この特徴により、信号散乱及び飽和の現象を制限又は抑制することができ、サンプルの準備をより簡単化することが保証される。
【００４０】
一部の実施形態では、分光光度計は連続取得モードを有し、これにより機器のクリーニングが容易となるとともに、水及び／又は他の混入物質の存在をリアルタイムで診断することが可能となり、これによって、水及び／又は混入物質の存在が微生物の特異的信号を覆い得るといった従来技術における欠点を制限することが可能となる。
【００４１】
有利には、本発明によれば、サンプルの乾燥レベルが所定の基準レベルに達したときにのみスペクトルが取得されるように、サンプルの乾燥レベルを分光的にモニターすることが含まれる。
【００４２】
したがってこのモードで取得されたスペクトルは、実質的に同じ乾燥レベルを有するサンプルに関するものであるので、より互いに対応している。
【００４３】
この特徴により、サンプルから水を除去するためのオーブンによる乾燥作業が不要な為、微生物に、したがって対応するスペクトルに、不可逆的な影響が生じることを回避できるので、従来技術の一部の欠点を克服又は少なくとも制限することができる。
【００４４】
一部の実施形態では、本発明は、予め定められたスペクトル範囲におけるサンプルの最も重要な識別分光特性を自動で特定するアルゴリズムを使用する。
【００４５】
この特徴により、解析工程に要する時間が大幅に減少でき、よって時間を短縮できるとともに識別の精度を高めることができる。
【００４６】
有利なことに、計算済モデルを用いることにより、従来技術の方法と比べて各未知のサンプルについての識別時間を短縮することができる。
【００４７】
これらの特徴により、データベースのサイズを大きくすることが可能となり、これによって、多くの異なる種、亜種又は下位分類の微生物を、そして同じ種、亜種又は亜科の異なる株を、場合によっては生体液の存在下で、場合によってはこれらが異なる培地で異なる培養で又は異なる環境条件で発育したものであっても、識別することが可能となる。
【００４８】
本開示のこれらの及び他の態様、特徴及び利点は、以下の記載、図面及び特許請求の範囲を参照することで理解されるであろう。本明細書の一部を構成する図面は、本発明の一部の実施形態を示しており、本明細書の記載とあわせて本開示の原理を説明することを目的としている
【００４９】
本発明を以下の図面を用いてよりよく記述及び示す。
【００５０】
理解を深めるために、図面において可能な場合には同じ共通の要素には同じ参照符号を付している。また、１つの実施形態に含まれる要素及び特徴部を追加の説明なしに他の実施形態に簡便に組み込むことができることは理解されるであろう。
【図面の簡単な説明】
【００５１】
【図１】本発明の方法に係る考え得る装置の模式図である。
【図２】本発明の方法の一実施形態における工程を例示するブロック図である。
【図３】ＦＴＩＲ−ＡＴＲ手法を用いて収集された実験データを示し、（ａ）は収集された生データを示し、それぞれの種が異なる色で表されており、（ｂ）は、変換後のデータを示す。
【図４】異なる種の微生物のスペクトルに対応する、２つの主要成分からなる空間内におけるＰＣＡを用いて得られたクラスターのゾーンを模式的に示す。
【図５】最初の２つの成分の空間内におけるＬＤＡを用いて得られたクラスターのゾーンの例を模式的に示す。
【図６】異なる種の微生物のスペクトルに対応する、２つの主要成分からなる空間内におけるＰＣＡを用いて得られたクラスターのゾーンの例を模式的に示す。
【図７】パネルａはグラム陽性（薄い灰色）及びグラム陰性（濃い灰色）として色付けされたＰＣＡ描写であり、パネルｂは前記方法により得られた「実際の」データに対する「予測した」データを示す混同行列であり、パネルｃはグラムのタイプを予測する際に本明細書に記載の実施形態に適用された数学的方法を実行した結果を示す。
【図８】データベースのスペクトルを用いて本明細書に記載の実施形態による方法の交差検証を用いた検証によって得られた混同行列である。
【発明を実施するための形態】
【００５２】
以下に本発明の種々の実施形態について詳細に説明する。その１つ又は複数の例を図面に示す。各例は本発明を説明するために示されており、本発明を限定するものではない。例えば、１つの実施形態の一部として図示又は記載される特徴は、他の実施形態に適用又は関連付けて別の実施形態とすることができる。本発明はそのような変更及びバリエーションの全てを備えることは理解されるであろう。
【００５３】
これらの実施形態について記載する前に、本明細書の記載は図面を用いて以下に説明する構成要素の詳細な構成及び配置への適用に限定されないことを明記しておく。本明細書の記載は他の実施形態を提供することができるとともに、他の様々な形で適用及び除外することができる。また、本明細書で用いる表現及び用語は単に説明を目的とするものであり、限定的なものと捉えるべきではない。
【００５４】
特に記載のない限り、本明細書で用いる全ての技術的及び科学的用語は、本発明が属する分野の当業者が一般的に理解する意味と同じ意味を有する。
【００５５】
本明細書に記載のものと類似又は同等の方法及び材料を実際に又は本開示を検証するための試験に用いることができるが、前記方法及び材料は例として以下に記載するものである。コンフリクトが発生した場合にはこれらの定義を有する本願が優勢となるべきである。材料、方法及び例は純粋に説明を目的とするものであり限定的に理解してはならない。
【００５６】
本明細書において、サンプルとは、例えば微生物（これに限らない）などの微細な生物を含む生物学的物質のより大きい均一なセットから、解析のために採取した最低量を意味する。
【００５７】
場合によっては、必要に応じて、生物学的物質の微生物の組成がそれぞれ未知又は既知である場合には、未知のサンプルか既知のサンプルかを記載する。
【００５８】
一部の実施形態では、微生物の種、亜種及び下位分類は臨床的関心の対象である場合がある。
【００５９】
さらに、「スペクトル」との用語は、使用される取得機器に対応する一連の電磁放射線に関して用いられ、したがって「赤外スペクトル」や「振動スペクトル」との用語や振動遷移若しくは特定のスペクトル範囲を参照する用語は、本発明の方法の適用可能性を限定するものと理解すべきではない。
【００６０】
図１は、本発明に係る微生物を識別する装置１０を模式的に示す。
【００６１】
例として、前記装置は、処理システム及びデータ表示システムに連結された、ＡＴＲ（Ａｔｔｅｎｕａｔｅｄ  Ｔｏｔａｌ  Ｒｅｆｌｅｃｔａｎｃｅ：全反射）取得モードのＦＴＩＲ（Ｆｏｕｒｉｅｒ  Ｔｒａｎｓｆｏｒｍ  Ｉｎｆｒａ−Ｒｅｄ：フーリエ変換型赤外）分光のための分光光度計、即ちＦＴＩＲ−ＡＴＲ分光光度計を備える。
【００６２】
処理システム及び表示システムは、例えば、１つの処理表示システムに組み込まれてもよく、及び／又は例えばスクリーンを有するパーソナルコンピュータなどのコンピュータ１５の中に備えられていてもよい。
【００６３】
一部の実施形態では、処理システムはコンピュータプログラムを備えており、当該コンピュータプログラムは、コンピュータ可読媒体に記憶させることができるとともに、装置１０によってその都度実行可能な命令を含むことができる。
【００６４】
以下では、説明を簡単にするために、装置１０を管理可能かつデータを処理及び表示可能なソフトウェア及びハードウェアシステムのセットを示すものとして、コンピュータ１５を参照する。
【００６５】
主要構成要素についてそれ自体知られているＦＴＩＲ−ＡＴＲ分光光度計は、赤外線１７の線源１３と、反射素子１６と、内部反射素子と、検出器１４と、を備える。
【００６６】
簡単化のため、モノクロメータ、チョッパー、干渉計などの分光光度計の他の構成要素は図１には示していない。
【００６７】
一部の実施形態では、線源１３は、Ｇｌｏｂａｒタイプのブラックボディソースとすることができる。
【００６８】
例として、線源１３によって発せられる赤外線１７、即ち入射線１７ａは、反射素子１６によって内部反射素子に当たるように方向づけられる。
【００６９】
一部の実施形態では、内部反射素子は、例えば結晶１２とすることができる。
【００７０】
一部の実施形態では、結晶１２は屈折率が高い結晶１２とすることができる。
【００７１】
一部の実施形態では、結晶１２はダイヤモンド、ＺｎＳｅ、シリコン又はゲルマニウムの結晶１２とすることができる。
【００７２】
有利なことに、結晶１２がダイヤモンドの結晶１２の場合、同等の測定に用いられるＺｎＳｅ、シリコン又はゲルマニウムよりも耐久性が高く、透明範囲も広いという利点がある。
【００７３】
結晶１２内での赤外線１７の反射によって、結晶１２の表面上にエバネッセント場が生成され、当該表面上に取得ゾーン１８を画定することができるとともに、当該表面上に解析される生体サンプルが位置付けられる。
【００７４】
エバネッセント場は、場合によって、サンプル内に最大数ミクロンの深さ範囲まで達することができる。
【００７５】
具体的には、この深さ範囲は入射線１７ａの入射角度及び波長の関数であるとともに、結晶１２に用いられる材料の屈折率の関数であり、したがって、解析される全サンプルについて実質的に一定とみなすことができる。
【００７６】
このため、有利なことに、ＡＴＲモードによって、サンプルを通る放射線の光路に依らずにしたがってサンプルの厚さに依らずにスペクトルを取得することができ、これにより透過又は反射を用いるアプローチと比べて高い再現性を保証することができる。
【００７７】
さらに、このモードによって、スペクトルの質に悪影響を及ぼし得る散乱及び／又は信号飽和といった現象を抑制又は回避することができる。
【００７８】
したがって、このモードによって、より高い測定反復可能性が保証されるとともに、サンプルのよりシンプルな準備が保証される。
【００７９】
サンプルとの相互作用後に結晶１２から出た赤外線１７、即ち出射線１７ｂは、次に反射素子１６によって検出器１４に向けられる。
【００８０】
一部の実施形態では、検出器１４はＤＬａＴＧＳ（Ｄｅｕｔｅｒａｔｅｄ  Ｌ−ａｌａｎｉｎｅ  ｄｏｐｅｄ  ｔｒｉｇｌｙｃｉｎｅ  ｓｕｌｐｈａｔｅ）検出器とすることができる。
【００８１】
代替的な実施形態では、検出器１４はＤＴＧＳ検出器とすることができる。
【００８２】
例えば、検出器１４は出射線１７ｂに含まれる光学的情報を、コンピュータ１５に送られる電気信号に変換する。
【００８３】
一部の実施形態では、前記装置は、ＮＩＲ（近赤外）及び／又はＭＩＲ（中赤外）及び／又はＦＩＲ（遠赤外）領域のスペクトルを取得するよう設けられる。
【００８４】
一部の実施形態では、装置１０は連続取得モードで動作することができ、即ち、取得ゾーン１８内でその都度取得されたものを、コンピュータ１５のスクリーン上にリアルタイムで表示することができる。
【００８５】
本発明は、さらに、図２に模式的に示す微生物を識別する方法に関し、当該方法は、
既知の微生物の種、亜種及び下位分類の既知のサンプルに関連するリファレンススペクトルのデータベースを準備する工程（Ａ１，Ａ２，Ａ３）と、
前記データベースから開始して、既知の微生物の種、亜種又は下位分類の各々についての最も重要な識別分光特性に基づき、計算済モデルを作成する工程（Ａ４）と、
患者から採取され場合によっては採取後に固体培地又は液体培地で発育させられ場合によっては生体液を含む未知のサンプルをサンプリングする工程（Ｂ）と、
前記未知のサンプルのスペクトルを取得する一以上の工程（Ｃ）と、
前記未知のサンプルの前記スペクトルを処理する一以上の工程（Ｄ）と、
前記未知のサンプルの前記スペクトルを前記計算済モデルと比較することで解析する一以上の解析工程と、
一以上の制御工程（Ｆ）と、を有し、
各前記解析工程において、場合によっては前記既知の微生物の種、亜種又は下位分類の一以上に前記未知のサンプルが所属するパーセンテージの形での少なくとも複数のスコアと、前記所属スコアの信頼性のパラメータと、を提供し、
前記一以上の制御工程（Ｆ）において、前記所属スコア及び前記信頼性パラメータから開始して、前記未知のサンプルのスペクトルを新たに取得する工程（Ｃ）を要求し、あるいは、前記方法の最終結果を提供し、
前記最終結果は、識別不成功（Ｊ）、又は、異なる基準に応じた識別成功（Ｇ，Ｈ，Ｉ）を含む。
【００８６】
本発明の一部の実施形態では、前記データベースを準備する工程（Ａ）は、
場合によっては患者から採取され、場合によっては採取後に固体培地又は液体培地で発育させられ場合によっては生体液を含む既知のサンプルをサンプリングする工程（Ａ１）と、
前記既知のサンプルのスペクトルを取得する一以上の工程（Ａ２）と、
前記既知のサンプルのスペクトルを処理する一以上の工程（Ａ３）と、を含む。
【００８７】
一部の実施形態では、前記工程（Ａ１，Ａ２，Ａ３）は、前記データベースにおいて既知の新たなサンプルを挿入する度に繰り返すことができる。
【００８８】
一部の実施形態では、サンプルをサンプリングする前記工程（Ｂ，Ａ１）は、患者からサンプルを採取することを含んでもよい。
【００８９】
一部の実施形態では、患者から採取したサンプルに対し、微生物に栄養物を追加する事前解析処理を施してもよい。
【００９０】
一部の実施形態では、サンプルを固体培地上で発育させてもよい。
【００９１】
一部の実施形態では、サンプルをペトリ皿上で発育させてもよい。
【００９２】
一部の実施形態では、サンプルを液体培地で発育させ、その後遠心分離して濃縮ペレットを得てもよい。
【００９３】
一部の実施形態では、サンプルを液体培地又は液体発育ブロスで発育させ、その後ろ過してもよい。
【００９４】
一部の実施形態では、サンプルを液体培地又は液体発育ブロスで発育させてもよく、あるいはサンプルに対して濃縮化又は濃厚化処理を施して存在している微生物の濃度を高めてもよい。
【００９５】
一部の実施形態では、サンプルは、場合によっては人間又は動物由来の生体液を含んでもよい。
【００９６】
一部の実施形態では、スペクトルを取得する工程（Ｃ，Ａ２）は、前記装置におけるサンプルと接する表面、例えば図１に示す取得ゾーン１８の表面をクリーニングする事前工程を有してもよい。
【００９７】
一部の実施形態では、例えば取得ゾーン１８上に蓄積された不純物に関連する吸収バンドの消失を確認することでそのようなクリーニングの効果を検証するために、例えば連続取得モードを用いて背景スペクトルを取得することが可能である。
【００９８】
一部の実施形態では、スペクトルを取得する工程（Ｃ，Ａ２）は、サンプルの分析物を採取し、スペクトルを取得するために分光光度計の結晶１２上、例えば取得ゾーン１８上に配置することをさらに含む。
【００９９】
一部の実施形態では、前記分析物は、例えば使い捨てロッドを用いて除去して配置することで、固体の形態で取得ゾーン１８上に配置される。
【０１００】
一部の実施形態では、前記分析物を、例えばダイナモメトリックプレス機を用いて、取得ゾーン１８に押し付けてもよい。
【０１０１】
一部の実施形態では、サンプルの乾燥レベルが分光的にモニターされる。
【０１０２】
一部の実施形態では、含水量の評価について、装置を連続取得モードにしたままで、水の分光特性に関する各波長範囲内の吸収バンドを、場合によってはこれが完全に消えるまでその減少をモニターすることで、含水量を評価することが可能である。
【０１０３】
本発明によれば、サンプルの乾燥レベルが所定の基準レベルに達したときにスペクトルが取得される。
【０１０４】
有利なことに、この特徴によって、微生物の特異的信号を覆う又はこれと干渉するような水の存在に起因する信号がスペクトルに含まれる場合があるという従来技術における問題を克服又は少なくとも制限することができる。
【０１０５】
さらにこの特徴によって、解析される微生物を不可逆的に改変させ得るサンプル乾燥処理を避けることができる。
【０１０６】
また、スペクトルを取得する工程（Ｃ，Ａ２）は、サンプルから得られた分析物のスペクトルを記録することを含む。
【０１０７】
一部の実施形態では、スペクトルは所定の期間記録される。
【０１０８】
一部の実施形態では、スペクトルは、３０秒よりも短い所定の期間記録される。
【０１０９】
一部の実施形態では、スペクトルの記録によって、所定の数の一連のスペクトル（sequential spectra）が取得され、これらはその後、信号対ノイズ比を高めるために平均化される。
【０１１０】
一部の実施形態では、スペクトルの数として、各分析物について８〜５１２個、好適には各分析物について３２〜２５６個、より好適には各分析物について６４〜１２８個のスペクトルを取得して平均化することができる。
【０１１１】
一部の実施形態では、スペクトル又は場合によってはスペクトルの平均値がスクリーン上に表示される。
【０１１２】
スペクトル又はスペクトルの平均値を処理する工程（Ｄ，Ａ３）は、
線形及び／若しくは非線形補間並びに／又はフィッティングアルゴリズム（スペクトルプロファイル）を用いることと、
スペクトルプロファイルの１階微分及び／又は２階微分を計算することと、
全スペクトル範囲にわたってベクトル正規化アルゴリズムを用いて微分値を正規化することと、
微生物の種、亜種又は下位分類の分類において最も有用なスペクトルゾーンを選択することと、を含むことができる。
【０１１３】
例として、スペクトルゾーンは、核酸、炭水化物及び多糖について９５０〜１２８０ｃｍ-1の範囲であり、澱粉、例えばタンパク質、メチル基及びメチレン基、例えば脂質、について１２８０〜１４８０ｃｍ-1の範囲であり、カルボニル基、例えば脂質のカルボニル基について１７００〜１８００ｃｍ-1の範囲であり、脂肪族鎖、例えば脂質、について２８００〜３０００ｃｍ-1の範囲である。
【０１１４】
一部の実施形態では、スペクトル範囲の選択処理を改善するために人工学習アルゴリズム（機械学習）を用いることができる。
【０１１５】
例として、図３（ａ）は異なるサンプルについて収集できるスペクトルを示し、図３（ｂ）は処理されたスペクトルを示す。
【０１１６】
また、図３（ａ）は、本発明の方法の目的に重要ないくつかの識別分光特性の例を示している。
【０１１７】
一部の実施形態では、その後、スペクトル領域及び識別分光特性が用いられて、微生物の種、亜種又は下位分類が個別に分類されその後識別される。
【０１１８】
一部の実施形態では、最も関心のあるスペクトル範囲及び識別分光特性を特定するために、自動認識システムが提供される。
【０１１９】
有利なことに、微生物を構成する異なる化学組成、例えば核酸、脂質、タンパク質、炭水化物及びその他の成分などの存在によって、微生物のそれぞれの種、亜種又は下位分類の特徴的信号を取得することができ、これにより予測手法を得ることが可能となる。
【０１２０】
複数の既知のサンプルについて工程（Ａ１，Ａ２，Ａ３）を繰り返すことによって、既知の微生物の種、亜種又は下位分類のリファレンススペクトルのデータベースを準備することが可能となる。
【０１２１】
しかしながら、本方法の一部の実施形態では、データベースは、他の方法を用いて得られた既知の微生物の種、亜種又は下位分類のスペクトルを含むことができる。
【０１２２】
一部の実施形態では、データベースは、既知の微生物の異なる種、亜種又は下位分類に属する単独菌感染培養物に関するスペクトルを含む。
【０１２３】
一部の実施形態では、データベースは、既知の微生物の種、亜種又は下位分類の各々について、既知の微生物の異なる株に関連するスペクトルを含む。
【０１２４】
一部の実施形態では、データベースは、例えば寒天、ＣＮＡ寒天、ＣＬＥＤ寒天、血液寒天、発色寒天などを含むがこれらに限定されない異なる培地上で発育させたサンプルに関連するスペクトルを含む。
【０１２５】
一部の実施形態では、データベースは液相発育ブロス内で発育させ、ペレット又は濃縮サンプルを得るために遠心分離又はろ過又は濃縮されたサンプルに関するスペクトルを含む。
【０１２６】
有利なことに、液体ブロス内での発育とその後のペレット化又はろ過により得られたスペクトルは、固体相発育媒体のマトリックスに由来する干渉を含まないので、基準リファレンススペクトルとして用いることができる。
【０１２７】
有利には、液体ブロス内で発育させられその後ペレット化又はろ過又は濃縮することで得られたスペクトルを測定することによって、例えば体液などの生体液の存在下で直接スペクトルを特定することができる。
【０１２８】
データベースに含まれるこのスペクトルの異質性及び多様性によって全体的な解析を行うことが可能となり、これによって、異なる培地で発育させたことによる影響も含め、微生物の多くの種、亜種又は下位分類、そして個々の種、亜種又は下位分類についての多くの異なる株を識別することができる。
【０１２９】
各スペクトルの多重取得を行う場合、繰り返された個別スペクトル及び／又は繰り返しにおいて計算された平均スペクトルをデータベースに挿入することが可能である。
【０１３０】
工程（Ａ４）で作成又は更新された計算済モデル又はリファレンスライブラリは、選択されたスペクトル範囲内での解析の目的に最も重要な識別分光特性に基づくことができる。
【０１３１】
一部の実施形態では、最も重要な識別分光特性は、例えば、吸収ピークの形状、サイズ、強度及び面積の情報と関連付けることができ、あるいは異なるピークの強度間又は面積間の相関関係及び比率とも関連付けることができる。
【０１３２】
一部の実施形態では、計算済モデルは、既知の微生物の種、亜種又は下位分類の既知のサンプルの各々に関する重要な識別分光特性のリストを含むことができる。
【０１３３】
一部の実施形態では、最も重要な識別分光特性は、上記の統計的解析手法並びに／又はニューラルネットワーク及び／若しくは人工学習に基づくアプローチによって特定することができる。
【０１３４】
これらの計算済モデルによって、比較のための最も重要な識別分光特性を迅速にかつ自動的に特定することができる。
【０１３５】
このようにして、２つのスペクトルを比較する度に、全スペクトル範囲及び／又は全分光特性ではなく、最も関心のあるスペクトル範囲のみで及び／又は最も関心のある分光特性との関連のみで、比較を行うことができる。
【０１３６】
例えば、全スペクトル範囲のうち、１ｃｍ-1の分解能で取得された未知のサンプルのスペクトルを、同じ分解能で取得された１８０００個のリファレンススペクトルを含むデータベースと比較したいような場合、このような比較は、従来技術の方法を用いると６千５百万個のポイントの評価を要するであろう。
【０１３７】
本出願人は、選択されたスペクトル範囲について計算済モデルを用いる作業を介する本発明の方法を用いることによって、このような比較に要するのが、従来技術の方法よりも２０〜８０倍少ない数のポイントの評価とすることができることを見出した。
【０１３８】
したがって、計算済モデルを用いることによって、大規模データベースであっても各未知のサンプルについての解析時間を大幅に減少させることができる。
【０１３９】
したがって、この特徴により、データベースのサイズを、より多数の既知の微生物の種、亜種又は下位分類を含むことができるようにかなり大きくすることができ、これによって本発明の方法の予測性能及び識別性能が向上及び拡大する。
【０１４０】
また、この特徴により、高分解能のスペクトルでも作業することができるようにもなり、これによって本方法の精度及び正確さが向上する。
【０１４１】
さらに、例えば、上記のリストがあることで、最小二乗法の使用を不要とすることができ、及び／又は場合によっては全スペクトルについての全波長範囲についての二乗平均平方根（average square）の計算を除くことができる。
【０１４２】
他の実施形態では、自動認識システム及び計算済モデルを改善するために、本方法が用いられる際に漸進的に、人工学習（機械学習）及び人工知能モデルが用いられる。
【０１４３】
一部の実施形態では、解析工程（Ｅ）は、未知のサンプルのスペクトルをリファレンスデータベースに含まれるリファレンススペクトル及び／又は計算済モデルと比較することを含む。
【０１４４】
本発明の一部の実施形態では、この比較を行うために統計的手法を用いることができる。
【０１４５】
本発明の一部の実施形態では、統計的手法は、多変量解析、例えば主成分分析（ＰＣＡ）、又は線形判別分析（ＬＤＡ）、線形部分最小二乗判別分析（ＬＤＰＬＳ）、二次判別分析（ＱＤ）を含むことができる。
【０１４６】
一部の実施形態では、上記の比較を行うために、ニューラルネットワークに基づくアプローチを実行する方法、手法又はアルゴリズムを用いることができる。
【０１４７】
一部の実施形態では、上記の比較を行うために、人工学習（機械学習）に基づくアプローチを実行する方法、手法又はアルゴリズムを用いることができる。
【０１４８】
本発明の一部の実施形態では、上記の比較は、スペクトルを１階微分及び／又は２階微分したものを比較することを含むこともできる。
【０１４９】
一部の実施形態では、統計的重みを用いて、スペクトルの異なる領域をさまざまに重み付けすることが可能である。
【０１５０】
本発明の一部の実施形態では、２つのスペクトル間の比較は、例えば最小二乗法に基づく方法を用いて、２つのスペクトル間の距離といった定義を用いて行うことができる。
【０１５１】
一部の実施形態では、上記の距離は、統計的解析及び／又は計量化学解析を行うための測定基準として用いることができる。
【０１５２】
一部の実施形態では、スペクトル間のばらつきをＰＣＡ分析に用いることができる。
【０１５３】
一部の実施形態では、解析工程（Ｅ）は、データベースにおいて表される種、亜種又は下位分類の一以上に未知のサンプルが所属するスコア、例えばパーセンテージ、を提供する。
【０１５４】
一部の実施形態では、解析工程（Ｅ）は、解析の信頼性、特に所属スコアの信頼性を推定する信頼性パラメータを提供する。
【０１５５】
一部の実施形態では、制御工程（Ｆ）は、所属スコア及び信頼性パラメータを処理することを含む。
【０１５６】
一部の実施形態によれば、解析の信頼性パラメータが予め設定された合格判定レベルよりも高い場合に所属スコアは即座に信頼性があると考えられる。例えば、パーセンテージスコアを用いた場合、合格判定レベルは８０％〜１００％の範囲内で選択することができる（図２のブロックＧ）。
【０１５７】
一部の実施形態では、最初の試みにおいて微生物の未知の種、亜種又は下位分類をはっきりと識別することができない場合には、データを追加して解析結果を改善するために、工程（Ｃ，Ｄ，Ｅ及びＦ）を繰り返すことができる。
【０１５８】
一部の実施形態では、これは、信頼性パラメータが予め設定された第２合格判定レベルよりも低い場合に行うことができる。例えば、パーセンテージで表されるスコアを用いる実施形態においては、この第２合格判定レベルは７０％〜８０％の範囲内で選択することができる。
【０１５９】
この場合、上記方法は、未知のサンプルから得られた第２の分析物に対して行われる第２取得工程（Ｃ）、第２処理工程（Ｄ）及び第２解析工程（Ｅ）を含む。
【０１６０】
例えば、第２の分析物は、未知のサンプルを培養し発育させたものと同じペトリ皿から得られた微生物の別のコロニーとすることができる。
【０１６１】
サンプルがペレット状の場合には、第２の分析物は、例えば、第１の分析物を採取したものと同じ濃縮ペレットから使い捨てロッドを用いて採取することができる。
【０１６２】
その後、第２解析の結果の信頼性が再度、例えば第２合格判定と数字的に等しい予め設定された第３合格判定レベルよりも低い場合には、上記方法は、第１取得工程（Ｃ）と第２取得工程（Ｃ）とで得られた２つのスペクトル間の類似点を比較する。
【０１６３】
これらのスペクトルが類似していると認められた場合（図２のブロックＨ）には、上記方法は、微生物の一以上の種、亜種又は下位分類に未知のサンプルが所属する所属スコアが２つの取得間で合致する旨を、解析の結果として提供する。
【０１６４】
これらのスペクトルが一致しないと認められた場合には、第２の分析物が採取され、第３取得工程（Ｃ）、第３処理工程（Ｄ）及び第３解析工程（Ｅ）が行われる。
【０１６５】
３つのスペクトルのうち少なくとも２つが類似していると認められた場合（図２のブロックＩ）には、上記方法は、データベースの微生物の種、亜種又は下位分類にサンプルが所属する所属スコアが、３つのスペクトルのうち２つの間で合致する旨を、解析の結果として提供する。
【０１６６】
さもなければ（図２のブロックＪ）、スペクトル及び３つの取得に関連する３つの所属スコアとともに、識別できない旨のメッセージが表示される。
【０１６７】
一実施形態では、データを収集して、データベースに関してこれらを解析するのに用いられるコンピュータプログラム又はソフトウェアが提供され、前記データベースは、コンピュータ可読媒体に記憶されるとともに、微生物の分類及び識別のための解析装置によって実行されたときに本開示による方法の遂行を決定する指示を含むことができる。
【０１６８】
［例１］
例として、図４は、本発明によるデータベースに含まれるスペクトルのＰＣＡ解析の結果を模式的に示す。
【０１６９】
特に、図４の各ポイントは、最初の２つの主要成分に沿って配置された、微生物の種、亜種又は下位分類に関連する取得されたスペクトル又はスペクトルの平均に対応する。
【０１７０】
また、これらのスペクトルは複数のゾーンにグループ化され、その広がりは、各サンプルについての異なる株及び／又は異なる培地に基づく、微生物のそれぞれの種、亜種又は下位分類についての複数のスペクトルのばらつきと関係がある。
【０１７１】
［例２］
例として、図５は、本発明によるデータベースに含まれるスペクトルのＬＤＡ解析の結果を模式的に示す。
【０１７２】
特に、図５における各ポイントは、最初の２つの主要成分に沿って配置された、微生物の種、亜種又は下位分類に関連する取得されたスペクトル又はスペクトルの平均に対応する。
【０１７３】
また、これらのスペクトルは複数のゾーンにグループ化され、その広がりは、各サンプルについての異なる株及び／又は異なる培地に基づく、微生物の種、亜種又は下位分類の各々についての複数のスペクトルのばらつきと関係がある。
【０１７４】
［例３］
一実施形態では、本発明によるデータベースは、選択され認定されたＮＮＣＣＬＳタイプのＡｔｌａｎｔａ微生物をペトリ皿又は液体培地上に植え付けることによって得られた。
【０１７５】
この実施形態では、ペトリ皿又は液体培地上に植え付けられた各個別の微生物について特有のスペクトルが取得され、さらに、発育条件に関するスペクトルのばらつきを検証するために、様々な液体培地の製造者から入手したペトリ皿を用いて様々な発育培地に株が１つ１つ植え付けられた。
【０１７６】
用いた培地は以下のものから選択された。
・ＣＬＥＤ寒天
・マッコンキー寒天
・ＣＮＡ寒天
・血液寒天
【０１７７】
各微生物について、現在用いられている他の方法と比較した際のデータの相関関係を検証するための数的なクラスターを得ることに関する幅広い完全なケーススタディを行うために微生物を発育させたものを５００個得た。
【０１７８】
図６は最初の２つの主要成分からなる空間で取得されたデータを表し、このなかでそれぞれの種は灰色の異なる色調で表されている。
【０１７９】
［例４］
一実施形態において、本発明の方法は、微生物のグラムのタイプを予想するのに用いることができる。図７に、グラムとグラム分類との結果の例を示す。
【０１８０】
図７のパネルａは、グラム陽性（薄い灰色）及びグラム陰性（濃い灰色）として色付けされたＰＣＡ空間の描写である。
【０１８１】
図７のパネルｂは、上記方法により得られた「実際の」データと比較した「予測した」データを示す混同行列である。
【０１８２】
図７のパネルｃは、グラムのタイプの予測に用いた数学的方法を実行した結果を示す。
【０１８３】
［例５］
一実施形態では、上記方法は、微生物の種、亜種又は下位分類を識別するのに用いることができる。図８を参照すると、本発明によるデータベースのスペクトルを用いた上記方法の検証から得られた混同行列が示されており、実際のものと予測されたものとは９９．９％〜９６％一致することが認められた。
【０１８４】
本明細書に記載の方法及び／装置に対して、本発明のフィールド及び範囲から逸脱することなく、部品又は工程の変更及び／又は追加を行うことができることは明らかである。また、本発明についていくつかの具体的な例を参照して記載したが、当業者であれば、特許請求の範囲に記載された特徴を有する方法及び／又は装置の多くの他の同等の形態を得ることができることは明らかであり、したがってそれらは全て特許請求の範囲に記載された保護範囲に含まれる。
【図１】
2021512321.tif 000003
【図２】
2021512321.tif 000004
【図３】
2021512321.tif 000005
【図４】
2021512321.tif 000006
【図５】
2021512321.tif 000007
【図６】
2021512321.tif 000008
【図７】
2021512321.tif 000009
【図８】
2021512321.tif 000010
【国際調査報告】
2021512321.tif 000011
2021512321.tif 000012
2021512321.tif 000013